(57)【要約】【課題】異なるカテゴリのコンテンツを利用できる再生装置、そのような再生方法、およびプログラムを提供する。【解決手段】日時情報を有するコンテンツを複数のカテゴリのコンテンツの中から検索し、この検索されたコンテンツ（Ｃ１〜Ｃ７）を、時間サークルＴＴの周囲にサムネイル表示（ＳＣ１〜ＳＣ７）し、カーソルＴＣの移動時に伴い時間管理部１２ｂで管理される時間をベースとしてコンテンツの日時情報に応じたタイミングでコンテンツを再生する。画像、テキスト、音声、音楽といったような異なるカテゴリのコンテンツを一元的に再生する。  【選択図】  図３
2009015958.tif 000002
【特許請求の範囲】
【請求項１】
日時情報を有するコンテンツを、その日時情報に応じて順次再生するための時間を管理する時間管理部と、
この時間管理部で特定される時間に対応する日時情報を有するコンテンツを、複数のカテゴリのコンテンツの中から検索するコンテンツ検索部と、
上記検索されたカテゴリの異なる複数のコンテンツを記憶する記憶部と、
上記時間管理部で管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成する時間画像作成部と、
上記時間画像を再生するとともに、上記記憶されたカテゴリの異なるコンテンツを、上記時間管理部で管理される時間をベースとしてそのコンテンツの日時情報に応じたタイミングで再生するよう管理する再生管理部と、
を備えることを特徴とする再生装置。
【請求項２】
ネットワークを介して外部のデータベースとデータ通信を行なう通信部を備え、
上記コンテンツ検索部は、上記コンテンツを上記外部データベースより検索することを特徴とする請求項１に記載の再生装置。
【請求項３】
上記コンテンツのカテゴリには、画像が含まれ、
上記コンテツ検索部は、画像のコンテンツについては、その画像の撮影日時に基づいて検索を行うことを特徴とする請求項１に記載の再生装置。
【請求項４】
上記時間画像の背景となる背景画像を作成する背景画像作成部を備え、
上記再生管理部は、上記時間画像とコンテンツ画像に加えて、背景画像も再生することを特徴とする請求項３に記載の再生装置。
【請求項５】
上記背景画像作成部は、検索されたコンテンツに含まれる位置情報に対応する地図画像を背景画像として作成することを特徴とする請求項４に記載の再生装置。
【請求項６】
上記時間画像の背景となる背景画像を作成する背景画像作成部を備え、
上記コンテンツ検索部は、上記時間管理部によって管理される時間に対応する天気情報を上記外部データベースから検索し、
上記背景画像作成部は、上記検索された天気情報による背景画像を作成することを特徴とする請求項２に記載の再生装置。
【請求項７】
上記コンテンツ検索部は、上記時間管理部によって管理される時間に対応するニュース情報を検索することを特徴とする請求項２に記載の再生装置。
【請求項８】
上記時間画像作成部は、上記時間画像として時間単位の異なる複数のサークル状の時間軸を作成することを特徴とする請求項１に記載の再生装置。
【請求項９】
上記コンテンツ検索部は、画像、音声及びテキストの少なくとも３つのカテゴリからコンテンツを検索することを特徴とする請求項１に記載の再生装置。
【請求項１０】
日時情報を有するコンテンツを、その日時情報に応じて順次再生する再生方法において、
特定時間に対応する日時情報を有するコンテンツを、複数のカテゴリのコンテンツの中から検索し、
上記検索されたカテゴリの異なる複数のコンテンツを記憶し、
管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成し、
上記時間画像を再生するとともに、上記記憶されたカテゴリの異なるコンテンツを、上記管理される時間をベースとしてそのコンテンツの日時情報に応じたタイミングで再生するよう管理する
ことを特徴とする再生方法。
【請求項１１】
日時情報を有するコンテンツを、その日時情報に応じて順次再生するためのプログラムにおいて、
特定時間に対応する日時情報を有するコンテンツを、複数のカテゴリのコンテンツの中から検索し、
上記検索されたカテゴリの異なる複数のコンテンツを記憶し、
上記管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成し、
上記時間画像を再生するとともに、上記記憶されたカテゴリの異なるコンテンツを、上記管理される時間をベースとしてそのコンテンツの日時情報に応じたタイミングで再生するよう管理する
ことを特徴とするプログラム。
【請求項１２】
上記コンテンツを、上記複数のカテゴリのコンテンツの中から検索するにあたって、
ネットワークを介して外部データベースとデータ通信を行ない、
上記コンテンツを上記外部データベースより検索する、
ことを特徴とする請求項１１に記載のプログラム。
【請求項１３】
上記コンテンツのカテゴリには、画像が含まれ、
上記コンテツの検索にあたって、上記画像のコンテンツについては、その画像の撮影日時に基づいて検索を行う、
ことを特徴とする請求項１１に記載のプログラム。
【請求項１４】
上記時間画像の背景となる背景画像を作成し、
上記時間画像とコンテンツ画像に加えて、背景画像も再生する、
ことを特徴とする請求項１３に記載のプログラム。
【請求項１５】
上記背景画像の作成にあたって、検索されたコンテンツに含まれる位置情報に対応する地図画像を背景画像として作成することを特徴とする請求項１４に記載のプログラム。
【請求項１６】
上記時間画像の背景となる背景画像を作成し、
管理される時間に対応する天気情報を上記外部データベースから検索し、
上記検索された天気情報による背景画像を作成する、
ことを特徴とする請求項１２に記載のプログラム。
【請求項１７】
上記コンテンツの検索にあたって、管理される時間に対応するニュース情報を検索することを特徴とする請求項１２に記載のプログラム。
【請求項１８】
上記時間画像の作成にあたって、上記時間画像として時間単位の異なる複数のサークル状の時間軸を作成することを特徴とする請求項１１に記載のプログラム。
【請求項１９】
上記コンテンツの検索にあたって、画像、音声及びテキストの少なくとも３つのカテゴリからコンテンツを検索することを特徴とする請求項１１に記載のプログラム。
【発明の詳細な説明】
【技術分野】
【０００１】
本発明は、画像等のコンテンツを再生するための再生装置、再生方法およびプログラムに関する。
【背景技術】
【０００２】
近年、インターネット等を通じて、画像データ、音楽データ、文章（テキスト）データ等、様々のカテゴリのデータを簡単に入手できる環境となってきている。このようなマルチコンテンツを取り扱う機器を種々開発されてきている。例えば、特許文献１には、再生可能なコンテンツの一覧表示を再生中の画面に重畳して表示させ、使い勝手を向上させたマルチメディア記録再生装置が開示されている。
【特許文献１】特開２００５−５１５００号公報
【０００３】
また、従来ではコンテンツは、音楽なら音楽、画像なら画像と別々の機器で再生して楽しむことが一般的であったが、本出願人は、マルチメディアの楽しみ方を広げるために、特許文献２において、画像と音楽をミックスした新しい楽しみ方のできる再生装置を提案した。さらに、コンテンツの中でも重要な画像に関して、大量の画像を効率的に検索する手法として、本出願人は、年・月・日別の時間サークルからなる時間表示部に沿ってサムネイル画像を配置し、画像検索を容易にする画像表示装置を提案している（特許文献３参照）。
【特許文献２】特開２００６−４０１３４号公報
【特許文献３】特開２００６−１８０４６６号公報
【発明の開示】
【発明が解決しようとする課題】
【０００４】
このように、異なるカテゴリデータを容易に入手できる環境が整いつつあるが、異なるカテゴリのデータを入手しても、それぞれのカテゴリ毎での単独での利用になりがちである。特許文献２には、画像と音楽をミックスして再生することが記載されているが、画像と音楽に限られ、種々のコンテンツを自在に組み合わせて楽しむものではない。
【０００５】
一方、旅行等のイベントについて友人に紹介するときや、その思い出を回想するときは、撮影した動画を再生し見たり、あるいは撮影した写真をスライドショーするのがこれまでのやり方であった。上述したように近年では様々な情報・データがあるのにも係わらず、これらのコンテンツを楽しむ方法は、従来と大差ないものであった。また、旅行等のイベントについて、回想するときに、画像以外の音声音楽や文字データ等の異なる種類のコンテンツを気軽に利用して、思い出を膨らませるような再生装置は何等、開示・示唆されてはいなかった。
【０００６】
本発明は、このような事情を鑑みてなされたものであり、異なるカテゴリのコンテンツを利用できる再生装置、そのような再生方法、およびプログラムを提供することを目的とする。
【課題を解決するための手段】
【０００７】
上記目的を達成するため第１の発明に係わる再生装置は、日時情報を有するコンテンツを、その日時情報に応じて順次再生するための時間を管理する時間管理部と、この時間管理部で特定される時間に対応する日時情報を有するコンテンツを、複数のカテゴリのコンテンツの中から検索するコンテンツ検索部と、上記検索されたカテゴリの異なる複数のコンテンツを記憶する記憶部と、上記時間管理部で管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成する時間画像作成部と、上記時間画像を再生するとともに、上記記憶されたカテゴリの異なるコンテンツを、上記時間管理部で管理される時間をベースとしてそのコンテンツの日時情報に応じたタイミングで再生するよう管理する再生管理部を備える。
【０００８】
第２の発明に係わる再生装置は、上記第１の発明において、ネットワークを介して外部のデータベースとデータ通信を行なう通信部を備え、上記コンテンツ検索部は、上記コンテンツを上記外部データベースより検索する。
また、第３の発明に係わる再生装置は、上記第１の発明において、上記コンテンツのカテゴリには、画像が含まれ、上記コンテツ検索部は、画像のコンテンツについては、その画像の撮影日時に基づいて検索を行う。
さらに、第４の発明に係わる再生装置は、上記第３の発明において、上記時間画像の背景となる背景画像を作成する背景画像作成部を備え、上記再生管理部は、上記時間画像とコンテンツ画像に加えて、背景画像も再生する。
さらに、第５の発明に係わる再生装置は、上記第４の発明において、上記背景画像作成部は、検索されたコンテンツに含まれる位置情報に対応する地図画像を背景画像として作成する。
【０００９】
さらに、第６の発明に係わる再生装置は、上記第２の発明において、上記時間画像の背景となる背景画像を作成する背景画像作成部を備え、上記コンテンツ検索部は、上記時間管理部によって管理される時間に対応する天気情報を上記外部データベースから検索し、上記背景画像作成部は、上記検索された天気情報による背景画像を作成する。
さらに、第７の発明に係わる再生装置は、上記第２の発明において、上記コンテンツ検索部は、上記時間管理部によって管理される時間に対応するニュース情報を検索する。
さらに、第８の発明に係わる再生装置は、上記第１の発明において、上記時間画像作成部は、上記時間画像として時間単位の異なる複数のサークル状の時間軸を作成する。
さらに、第９の発明に係わる再生装置は、上記第１の発明において、上記コンテンツ検索部は、画像、音声及びテキストの少なくとも３つのカテゴリからコンテンツを検索する。
【００１０】
上記目的を達成するため第１０の発明に係わる再生方法は、日時情報を有するコンテンツを、その日時情報に応じて順次再生する再生方法において、特定時間に対応する日時情報を有するコンテンツを、複数のカテゴリのコンテンツの中から検索し、上記検索されたカテゴリの異なる複数のコンテンツを記憶し、管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成し、上記時間画像を再生するとともに、上記記憶されたカテゴリの異なるコンテンツを、上記管理される時間をベースとしてそのコンテンツの日時情報に応じたタイミングで再生するよう管理する。
【００１１】
上記目的を達成するため第１１の発明に係わるプログラムは、日時情報を有するコンテンツを、その日時情報に応じて順次再生するためのプログラムにおいて、特定時間に対応する日時情報を有するコンテンツを、複数のカテゴリのコンテンツの中から検索し、上記検索されたカテゴリの異なる複数のコンテンツを記憶し、上記管理される一定範囲の時間を所定の長さで示す時間情報、及びこの時間情報に対応する日時情報のコンテンツが存在することを示すために、その日時情報に対応する上記時間情報の位置に配置されるコンテンツ情報を含む時間画像を作成し、上記時間画像を再生するとともに、上記記憶されたカテゴリの異なるコンテンツを、上記管理される時間をベースとしてそのコンテンツの日時情報に応じたタイミングで再生するよう管理する。
【００１２】
第１２の発明に係わるプログラムは、上記第１１の発明において、上記コンテンツを、上記複数のカテゴリのコンテンツの中から検索するにあたって、ネットワークを介して外部データベースとデータ通信を行ない、上記コンテンツを上記外部データベースより検索する。
第１３の発明に係わるプログラムは、上記第１１の発明において、上記コンテンツのカテゴリには、画像が含まれ、上記コンテツの検索にあたって、上記画像のコンテンツについては、その画像の撮影日時に基づいて検索を行う。
第１４の発明に係わるプログラムは、上記第１３の発明において、上記時間画像の背景となる背景画像を作成し、上記時間画像とコンテンツ画像に加えて、背景画像も再生する。
第１５の発明に係わるプログラムは、上記第１４の発明において、上記背景画像の作成にあたって、検索されたコンテンツに含まれる位置情報に対応する地図画像を背景画像として作成する。
【００１３】
第１６の発明に係わるプログラムは、上記第１２の発明において、上記時間画像の背景となる背景画像を作成し、管理される時間に対応する天気情報を上記外部データベースから検索し、上記検索された天気情報による背景画像を作成する。
第１７の発明に係わるプログラムは、上記第１２の発明において、上記コンテンツの検索にあたって、管理される時間に対応するニュース情報を検索する。
第１８の発明に係わるプログラムは、上記第１１の発明において、上記時間画像の作成にあたって、上記時間画像として時間単位の異なる複数のサークル状の時間軸を作成する。
第１９の発明に係わるプログラムは、上記第１１の発明において、上記コンテンツの検索にあたって、画像、音声及びテキストの少なくとも３つのカテゴリからコンテンツを検索する。
【発明の効果】
【００１４】
本発明によれば、異なるカテゴリのコンテンツを利用できる再生装置、そのような再生方法、およびプログラムを提供することができる。
【発明を実施するための最良の形態】
【００１５】
以下、図面に従って本発明を適用した再生装置を用いて好ましい実施形態について説明する。本発明の一実施形態に係わる再生装置は、インターネットに接続可能であると共に、動画や静止画が記憶可能であり、これらの画像の再生機能や音楽データの再生機能を有するパーソナルコンピュータによって構成される。
【００１６】
図１は、本実施形態に係わるパーソナルコンピュータ１０の構成を示すブロック図である。このパーソナルコンピュータ１０は、ＣＰＵ（Central Processing Unit）１１、ＲＯＭ（Read Only Memory）１３、操作部１４、記憶部１５、ＲＡＭ（Random Access Memory）１６、画像作成部１７、表示部１８、音声再生部１９、スピーカ部２０、通信部２１から構成される。パーソナルコンピュータ１０内のＣＰＵ１１、ＲＯＭ１３、記憶部１５、ＲＡＭ１６、画像作成部１７、音声再生部１９および通信部２１は、バス１９によって接続されている。また、パーソナルコンピュータ１０は、通信部２１およびインターネット３０等の通信網を介して外部データデータベース３１に接続されている。
【００１７】
パーソナルコンピュータ１０内のＣＰＵ１１は、フラッシュメモリ等で構成されるＲＯＭ１３に記憶された制御プログラムに従ってパーソナルコンピュータ１０の全体制御を行う。ＣＰＵ１１の内部には、再生管理部１２ａ、時間管理部１２ｂ、コンテンツ検索部１２ｃが設けられており、これらは実質的には、制御プログラムによって実行されるが、専用ハードウエアによって構成してもよい。
【００１８】
再生管理部１２ａは、コンテンツ、背景および後述する時間画像等の再生時間や順番を決め再生全体の管理を行なう。これらのコンテンツ、背景および時間画像等の再生にあたって、この再生装置は、管理された時間に沿って実行するが、時間管理部１２ｂはこの時間管理を行なう。コンテンツ検索部１２ｃは、再生対象となる該当日に対応する作成日時を有するコンテンツを、パーソナルコンピュータ１０内の記憶部１５等と外部データベース３１から検索を行なう。
【００１９】
ＣＰＵ１１に接続された操作部１４は、キーボードやマウス等のユーザーインターフェースで構成され、種々の操作指令をパーソナルコンピュータに入力する。画像作成部１７は、コンテンツ等のデータから表示用の画像を生成するハードウエアあり、時間画像作成部１７ａ、背景画像作成部１７ｂ、コンテンツ画像作成部１７ｃから構成される。
【００２０】
時間画像作成部１７ａは、時間サークルの画像（時計画像あるいは時間情報とも呼ぶ）と、この時間サークルの表示時刻に合わせてコンテンツ等をサムネイル的に配列した画像（コンテンツ情報とも呼ぶ）を作成する作成部である。また、背景画像作成部１７ｂは、背景画像を作成する作成部である。コンテンツ画像作成部１７ｃは、時間画像の中にサムネイル的に表示される個々のコンテンツ等に対応する静止画像、動画像や文字画像の作成部である。この画像作成部１７には、表示部１８が接続され、画像作成部１７によって作成された画像が表示される。
【００２１】
記憶部１５は、種々のコンテンツのデータを記憶するための記憶部であり、ハードディスク等の大容量記憶装置で構成されている。この記憶部１５には、時間画像データＴ、静止画像データ、音楽音声データ、動画像データ、選択画像データ、文字データ等を記憶する。音声データとしては、音楽以外にも、録音された会話等も記憶される。
【００２２】
音声再生部１９は、記憶部１５に記憶された音声データを再生し、再生された音声はスピーカ部２０で音声出力される。また、ＲＡＭ１６は一時記憶領域として使用される。さらに、通信部２１は、インターネット３０等を通じて外部データベース３１等と送受信を行なう。外部データベース３１としては、天気詳細データベース、天気データベース、地図データベース、ブログデータ、ニュースデータベース等の種々のアーカイブデータベースと接続可能である。
【００２３】
このように、本発明の一実施形態に係わる再生装置は、通常市販されているパーソナルコンピュータであり、インターネット３０等を通じて外部のデータベースと接続されている。この再生装置は、これから説明する動作を実行するプログラムをＲＯＭ１３に記憶している。このプログラムに係わるフローチャートを説明する前に、再生装置における表示と再生動作について、図を用いて説明する。
【００２４】
まず、本実施形態において使用される、再生するコンテンツをコンテンツの作成日時に基づいて選択するための時計画像の表示について図２を用いて説明する。この時計画像は表示部１８に表示され、年月日を選択するとき、および年月日の表示に使用される。まず、年をサークル状に表示する年サークルＴＹが表示画面１８ａに表示されている。この年サークルＴＹに沿って、１９９９年から各年が表示されており、この年の表示の中から２００３年を選択すると、選択枠５１によって２００３年が枠表示される。なお、図２には、２００４年までしか表示されていないが、この年は適宜変更できる。
【００２５】
年を選択すると枠表示がなされると共に、月サークルＴＭが表示される。この月サークルＴＭに沿って、１月から１２月までの月が表示されており、この月の表示の中から８月（図２ではAug.と表示）を選択すると、選択枠５２によってＡｕｇ．が枠表示される。この月の選択がなされ枠表示がなされると共に、日サークルＴＤが表示される。この日サークルＴＤに沿って、日を表すドットが表示されており、このドット表示の中から２１日に相当するドットを選択すると、選択枠５３によって２１が枠表示される。この日選択がなされ枠表示がなされると共に、時間サークルＴＴが表示される。
【００２６】
このように、年から順次選択すると、月、日、時間の順にサークルが表示され、本実施形態においては、２００３年８月２１日が選択される。また、選択された年月日は、枠表示５１、５２、５３により表示されるので、選択された年月日を容易に確認することができる。なお、本実施形態においては、選択された年月日は、枠表示しているが、この枠表示に限らず、色を変更したり、点滅表示させたり種々の表示方法に変更できる。
【００２７】
次に、本実施形態におけるマルチコンテンツの再生について、図３乃至図８を用いて説明する。本実施形態においては、２００７年４月８日における沖縄旅行の思い出を回想するために順次コンテンツを再生する例を説明する。マルチコンテンツとしては、静止画Ｃ１、Ｃ６、Ｃ７、動画Ｃ２、ウエブ情報Ｃ３、Ｃ５、音声Ｃ４が再生表示される。その他、背景画像や背景音楽も時間と共に変更表示される。
【００２８】
マルチコンテンツの再生にあたっては、まず前述したような再生させる過去の年月日の選択を行なう。この選択を行なうと、図３に示す画像が表示される（図３は、２００７年４月８日０時が選択された例）。過去の経過時間を示すカーソルＴＣは時間サークルＴＴ上で再生スタート時間に位置する（図３では、２００７年４月８日０時００分スタート）。時間サークルＴＴの周囲に沿って、４月８日作成された各種のコンテンツがサムネイル表示（ＳＣ１、ＳＣ２、ＳＣ３，ＳＣ４）されている。ここでＳＣ１は静止画Ｃ１のサムネイルで、ＳＣ２、ＳＣ３、ＳＣ４はＣ２、Ｃ３、Ｃ４を示すサムネイルである。すなわち、コンテンツは作成した年月日時間に関する情報を有しており、この情報に基づいて、作成時刻に対応する位置に、コンテンツ情報画像がサムネイル表示される。これらの時計画像とコンテンツ情報のサムネイル画像とから時間画像が構成される。
【００２９】
また、時間画像に対する背景画像として、図３においては、沖縄の地図画像Ｂ１が表示されている。この例では、沖縄旅行を挙げており、画像等のコンテンツ等に撮影場所として記録されているＧＰＳ（Global Positioning System）情報に基づいて、外部データベース３１から地図データを検索し、地図画像Ｂ１を背景画像として使用している。
【００３０】
この図３のスタート画面から、再生表示（スライドショー）を開始させると、カーソルＴＣは時間サークルＴＴを所定の速度で移動を開始する。この実施形態においては、後述するように過去の６時間を実際には１分で移動するように設定してある（図１０参照）。カーソルＴＣが６時に近づくと、図４に示すように、２００７年４月８日午前６時に撮影した静止画Ｃ１が次第に大きく表示される。この静止画Ｃ１はサムネイル表示されていた静止画ＳＣ１に対応する画像である。
【００３１】
背景画像としては、選択した背景画像Ｂ２に代わり、鳩を示す背景画像Ｂ２が登場し、この背景画像３２は、時間の移り変わりと共に、左から右へと移動する。また、背景画像としては、さらに天気画像Ｂ３が右下に表示される。この天気画像Ｂ３は、コンテンツ検索部１２ｃで当該日（この例では、２００７年４月８日）の天気情報を、外部データベース３１から取得し、自動的に表示する。外部データベース３１の天気情報が細かければ、カーソルＴＣの示す時刻に対応して切り換えるようにする。ここでは、４月８日６時の天気情報を表示している。
【００３２】
さらに、カーソルＴＣの移動と共に、９時頃に撮影した動画Ｃ２が再生開始される。この動画Ｃ２は、サムネイル表示されていた動画ＳＣ２に対応する画像である。なお、コンテンツ情報画像の再生表示が動画Ｃ２に移っていくにつれ、静止画Ｃ１の再生表示は次第に小さくなっていく。
【００３３】
次に、カーソルＴＣが１２時頃に近づくと、図５に示すように、静止画Ｃ１は小さくなり、また濃度も薄くなり、次第に消えていく。動画Ｃ２は、画面が大きくなり、また濃度は濃くなりはっきりと見える。ウエブＳＣ３に対応するテキストＣ３が表示画面１８ａの左側に表示される。ここでは、テキストＣ３は、詳細天気情報であり、表示タイミングは事前に設定してある。また、図示されてはいないが、音声ＳＣ４に対応する音声データＣ４に基づく音声が再生され、スピーカ部２１から流される。音声としては、例えば、この日の１２時頃に録音した友人との会話等がある。また、背景画像Ｂ２は右に移動し、次第に消えていく。
【００３４】
さらに、カーソルＴＣが移動し、１８時頃に近づくと、図６に示すように、ウエブＳＣ５に対応するブログ情報Ｃ５がテキストで表示される。ブログは他人のブログでもよいし、また本人のブログを表示するようにしてもよい。このブログ情報Ｃ５はコンテンツ検索部１２ｃによって外部データベース３１から検索されたものである。
【００３５】
また、静止画ＳＣ６、ＳＣ７に対応する静止画Ｃ６、Ｃ７が再生表示され、しかも時間と共に次第に大きく表示される。また、右下に表示されている天気画像Ｂ３は、カーソルＴＣの移動に応じて更新されている。カーソルＴＣが２３時に近づくと、図７に示すように背景画像としてアルバムタイトルＢ５ａ、歌詞Ｂ５ｂ、およびＣＤのジャケット画像Ｂ５ｃが表示される。また、これに対応する音楽Ｂ５が再生され、スピーカ部２１から流れる。２４時に達すると、４月９日のコンテンツの同様にして再生表示を行い、２４時に達するたびに日付けを代えて再生表示を繰り返す。
【００３６】
このように、表示画面１８ａやスピーカ部２１において、時計画像Ｔとサムネイル表示されるコンテンツ情報画像からなる時間画像、静止画Ｃ１、Ｃ６、Ｃ７、動画Ｃ２、ウエブＣ３、Ｃ５、音声Ｃ４からなるコンテンツ、および地図画像Ｂ１、背景画像Ｂ２、天気画像Ｂ３、音楽Ｂ５とその関連画像Ｂ５ａ、Ｂ５ｂ、Ｂ５ｃが再生表示される。
【００３７】
また、再生にあたっては、２００７年４月８日０時からスタートし、その日の２４時まで、時計画像Ｔ上のカーソルＴＣの移動に応じて、時間管理部１２ｂの制御の下で、上述のコンテンツや背景画像が順次再生されていく。以上の背景画像やコンテンツの再生状態を図１０に示す。図１０においては、横軸に時刻をとり、縦軸にコンテンツや背景画像をとり、これらの再生状態を示している。
【００３８】
以上のようにして、４月８日０時からスタートして現在の時刻（この例では、２００７年４月２３日３時００分）に達すると、マルチコンテンツを組み合わせて表示するスライドショーは終了する。スライドショーが終わると、表示を終了しても良いが、図８に示すように、現在時刻を示す時計表示を行なうようにしてもよい。時計表示としては、時計盤ＴＸに短針ＴＡと長針ＴＢを表示する。このときには図２で用いて説明した時計画像も併せて表示する。すなわち、年サークルＴＹ、月サークルＴＭ、日サークルＴＤ、時間サークルＴＴおよびカーソルＴＣを表示すれば、単に時刻のみならず、年月日も一目でわかる。勿論、時計盤のみの表示とし、各サークルの表示を省略しても良い。
【００３９】
本実施形態の説明においては、１日単位、すなわち時間サークルＴＴ上のカーソルＴＣの移動に応じて、順次コンテンツを切り換えて再生していた。しかし、これに限らず、例えば、図９に示すように、月単位、すなわち日サークルＴＤ上のカーソルＴＣの移動に応じて順次コンテンツを切り換えて再生するようにしてもよい。図９の例では、カーソルＴＣは４月８日にあり、このときは静止画Ｃ１、Ｃ６、Ｃ７が再生表示され、また天気画像Ｂ３は、４月８日の一日の天気の移り変わりを表示している。
【００４０】
次に、図１１乃至図１６に示したフローチャートを用いて、上述の表示再生を行なわせる手順について説明する。本実施形態における再生と表示を行なうプログラムがスタートすると、まず、ユーザーにより開始日を設定する（Ｓ１）。図３の例では、２００７年４月８日０時００分を指定している。なお、この開始時刻は、０時００分である必要はなく、例えば、マウスでカーソルＴＣを移動させる等により、ユーザーの希望する時刻を指定することが可能である。また、図９の変形例では、月単位での表示が可能であったが、このフローチャートにおいては、日単位で指定し、再生を行なう。
【００４１】
次に、ユーザーにより条件設定を行なう（Ｓ２）。ここでの条件設定は、背景画像や背景音楽、天気情報について、条件設定を行なう。天気情報は外部データベース３１を用いて行なうので、天気情報を入手できるＵＲＬを設定するようにしてもよい。また、プログラムとしては、デフォルトとして一般的な背景画像や背景音楽を設定しておき、ユーザーが自由に変更できるようにしておいてもよい。
【００４２】
条件設定が終わると、次に、コンテンツ再生準備を行なう（Ｓ３）。このコンテンツ再生準備は、再生管理部１２ａの制御の下で、コンテンツ検索部１２ｃによって、該当日に関連するデータの検索等を行なう。すなわち、パーソナルコンピュータ１０内の記憶部１５等に記憶されている画像データ、音声データや文字データ等、および外部データベース３１から、該当日に関するデータを検索し、検索されたデータを再生のために記憶し、また再生の順序を決める処理である。詳しくは図１２を用いて後述する。
【００４３】
コンテンツ再生準備が終わると、次に、コンテンツの再生実行を行なう（Ｓ４）。ここでは、再生管理部１２ａの制御の下で、画像作成部１７が時間画像および背景画像（背景情報）を作成し、また静止画、動画、ウエブ、音楽音声等のコンテンツの再生を、図３乃至図７の如く再生を行なう。ステップＳ３におけるコンテンツ再生準備では、該当日の一日分についてコンテンツの準備を行なっており、この一日分のコンテンツを順次再生する。詳しくは図１３を用いて後述する。
【００４４】
次に、表示時刻が現在時刻に達したかの判定を行なう（Ｓ５）。ここでの現在時刻は、表示設定されている年月日時刻が現在時刻に達しているかの判定であり、表示時刻が現在時刻に達すると、コンテンツの再生は終了する。判定の結果、達していない場合には、再生表示の終了指示がなされているかの判定を行なう（Ｓ６）。終了指示は、操作部１４によって行なわれる。判定の結果、終了指示がなされていない場合には、日付けの変更を行なう（Ｓ７）。この例では、２００７年４月８日０時００分でスタートしているので、最初に、このステップを通る際には、２００７年４月９日に変更する。以後、このステップＳ７を通るたびに１日づつ増加し、ステップＳ３に戻り、その該当日の対応するコンテンツの再生準備を行なう。
【００４５】
ステップＳ５における判定の結果、表示時刻が現在時刻に達していた場合には、次に、図８に示した時計盤ＴＸを用いて現在時刻の表示を行なう（Ｓ８）。続いて、ステップＳ６と同様に終了指示が有るか否かの判定を行ない、判定の結果、終了指示がない場合には、ステップＳ８に戻り、時刻表示を続行する。ステップＳ９およびステップＳ６における判定の結果、終了指示が有った場合には、本フローチャートを終了する。
【００４６】
次に、ステップＳ３におけるコンテンツ再生準備のサブルーチンの詳細について、図１２を用いて説明する。まず、コンテンツ検索部１２ｃによって、該当日のコンテンツを記憶部１５から検索する（Ｓ２１）。すなわち、ユーザーは、デジタルカメラ、ビデオカメラ、携帯電話のカメラ等を用いて撮影した画像データや、ＩＣレコーダーによって録音した音声データ等を記憶部１５等の記憶領域に記憶しており、また、これらのデータには作成日時情報が添付されている。このため、コンテンツ検索部１２ｃは、作成日時情報に基づいて、該当日に作成された画像データや音声データ等を検索する。
【００４７】
続いて、該当日のコンテンツを外部データベース３１から検索する（Ｓ２２）。予め設定してあるＵＲＬに基づいて該当日の天気データ（Ｂ３）、天気詳細データ（Ｃ３）、ブログデータ（Ｃ５）、ニュースデータ等を検索する。また、該当日の画像に添付されたＧＰＳデータから地図データ（Ｂ１）を検索する。また、インターネット検索エンジンを用いて、該当日のデータを検索するようにしてもよい。
【００４８】
次に、ステップＳ２１およびＳ２２において検索し、取得したデータを記憶部１５の再生用の領域に記憶する（Ｓ２３）。続いて、コンテンツの再生時間・順序を設定する（Ｓ２４）。すなわち、再生管理部１２ａは、取得した画像データ、音声データ、ウエブデータ、ブログデータ等に添付等されている作成日時情報に基づいて、再生時間（時間管理部１２ｂによって管理される表示時刻）を決め、この再生順序を設定する。なお、図示されていないが、ステップＳ２４の後に、オプションとして、ユーザーによる編集モードを追加してもよい。編集モードでは、音声や動画についてユーザーが再生したい画像または音声を選択する等を行なうことができるようにすればよい。
【００４９】
次に、ステップＳ４におけるコンテンツ再生実行のサブルーチンの詳細について、図１３を用いて説明する。このコンテンツ再生実行は、再生管理部１２ａによって制御される。まず、表示時刻の設定を行なう（Ｓ３１）。表示時刻は、図３の例では、２００７年４月８日０時００分から開始され、例えば、５分刻みで設定される。この例では、図１０に示したように、実際の６時間を１分で早送り表示しているので、表示時刻を５分きざみで設定すると、現実の時間で５／６分経過すると表示時刻を５分進めることになる。ここでの時間管理は、時間管理部１２ｂによってなされる。続いて、背景情報の作成が行なわれる（Ｓ３２）。このサブルーチンでは、地図画像Ｂ１、背景画像Ｂ２、天気画像Ｂ３、背景音楽Ｂ５およびその関連画像Ｂ５ａ、Ｂ５ｂ、Ｂ５ｃの再生を行なう。詳しくは、図１４を用いて後述する。
【００５０】
次に、時間画像の作成を行なう（Ｓ３３）。このサブルーチンでは、表示時刻に基づいて時計画像とコンテンツ情報画像とから構成される時間画像の作成を行なう。詳しくは、図１５を用いて後述する。続いて、コンテンツの作成を行なう（Ｓ３４）。このサブルーチンでは、記憶部１５に記憶されている画像データ、音声データ、テキストデータ等に基づいて再生用のコンテンツの作成を行なう。詳しくは、図１６を用いて後述する。
【００５１】
次に、全体画像の作成を行なう（Ｓ３５）。ステップＳ３１で設定された表示時刻に基づいて作成された背景画像、時間画像およびコンテンツを合成して全体画像としている。続いて、この作成された全体画像の表示を行なう（Ｓ３６）。全体画像の表示を行なうと、終了指示がなされているかを判定し（Ｓ３７）、終了指示がなされていれば、本フローの実行を終了し、一方、終了指示がなされていない場合には、ステップＳ３１に戻る。また、コンテンツ再生準備のサブルーチンで準備した該当日の一日分のコンテンツの再生が終わると、終了指示され、図１１のメインルーチンに戻る。
【００５２】
次に、ステップＳ３２における背景情報作成のサブルーチンの詳細について、図１４を用いて説明する。ここでのフローは、ＣＰＵ１１内の再生管理部１２ａおよび背景画像作成部１７ｂによってなされる。まず、ステップＳ３１において設定した表示時刻に対応する地図画像表示の指示があるか否かの判定を行なう（Ｓ４１）。判定の結果、指示がない場合には、ステップＳ４４にスキップし、一方、指示がある場合には、開始日時に対応する最初の画像から、位置情報の読出しを行い（Ｓ４３）、この読み出された位置情報に基づく地図データ（Ｂ１）の読出しを行なう（Ｓ４３）。ここでは、前述したように、デジタルカメラ等で撮影された画像データにＧＰＳによる位置情報が記録されているので、この位置情報に対応する地図データ（Ｂ１）の読出しを行なう。
【００５３】
次に、表示時刻に対応する背景画像の指示があるか否かの判定を行なう（Ｓ４４）。判定の結果、指示がない場合には、ステップＳ４６にスキップし、一方、指示がある場合には、背景データ（Ｂ２）の読出しを行なう（Ｓ４５）。背景データ（Ｂ２）は、例えば、図４の背景画像Ｂ２に対応する画像データである。
【００５４】
次に、表示時刻に対応する天気データの表示指示があるか否かの判定を行なう（Ｓ４６）。判定の結果、指示がない場合には、ステップＳ４８にスキップし、一方、指示がある場合には、天気データの読出しを行なう（Ｓ４７）。ここでは、前述したように、ステップＳ２２において、外部データベース３１を用いて、該当日の天気データを取得し記憶してあるので、この天気データの読出しを行なう。
【００５５】
次に、背景画像の作成を行なう（Ｓ４８）。ここのステップでは、読み出されたデータ、すなわち、ステップＳ４３で読み出した天気データ（Ｂ１）、ステップＳ４５で読み出した背景データ（Ｂ２）、ステップＳ４７で読み出した天気データ（Ｂ３）に基づいて背景画像を作成する。
【００５６】
背景画像の作成が終わると、次に、表示時刻に対応して音楽再生の指示がなされているか否かの判定を行なう（Ｓ４９）。判定の結果、指示がなされていない場合には、元のフローに戻り、一方、指示がなされていると、背景音楽として記憶されている音楽データを読出し、再生を行なう（Ｓ５０）。表示時刻は管理された時間であるが、音楽再生にあたっては早送りしないで実時間で再生する。ただし、途中で終了するようにしても良い。音楽再生が終わると、元のフローに戻る。
【００５７】
次に、ステップＳ３３における時間画像作成のサブルーチンの詳細について、図１５を用いて説明する。ここでのフローは、ＣＰＵ１１内の再生管理部１２ａおよび時間画像作成部１７ａによってなされる。まず、ステップＳ３１において設定した表示時刻の読出しを行なう（Ｓ６１）。続いて、この表示時刻に含まれる当該日情報に基づいて、当該日に属する全コンテンツ情報のサムネイル画像の作成を行なう（Ｓ６２）。次に、時間画像の読み出しおよび作成を行なう（Ｓ６３）。ここのステップでは、表示時刻に応じたカーソルＴＣの時計画像と、ステップＳ６２で作成されたサムネイル画像を合成し、時間画像を作成する。時間画像の作成が終わると、元のフローに戻る。
【００５８】
次に、ステップＳ３４におけるコンテンツ作成のサブルーチンの詳細について、図１６を用いて説明する。ここでのフローは、ＣＰＵ１１内の再生管理部１２ａおよびコンテンツ画像作成部１７ｃによってなされる。まず、ステップＳ３１において設定した表示時刻の読出しを行なう（Ｓ７１）。続いて、この再生時刻に対応して再生するコンテンツの選択を行なう（Ｓ７２）。このステップでは、ステップＳ２１〜ステップＳ２３において取得・記憶されたコンテンツ情報に基づいて、再生コンテンツ（画像、文字、音声、ウエブ）を選択する。
【００５９】
再生コンテンツを選択すると、次に、これらの再生コンテンツの中に画像コンテンツが有るか否かの判定を行なう（Ｓ７３）。判定の結果、画像コンテンツがない場合には、ステップＳ７６にスキップし、一方、画像コンテンツが有る場合には、コンテンツ画像の表示条件の読出しを行う（Ｓ７４）。本実施形態における例においては、コンテンツとしては、静止画および動画（Ｃ１、Ｃ２、Ｃ６、Ｃ７）や、天気詳細情報Ｃ４、ブログＣ５等があるが、この中から静止画および動画等の画像コンテンツを選択し、これらのコンテンツ画像の表示条件、例えば、画像の大きさや濃度等の設定条件の読出しを行う。続いて、コンテンツ画像の読出と、作成を行なう（Ｓ７５）。
【００６０】
次に、再生コンテンツの中に文字コンテンツ有るか否かの判定を行なう（Ｓ７６）。判定の結果、文字コンテンツがない場合には、ステップＳ７８にスキップし、一方、文字コンテンツが有る場合には、文字コンテンツの読み出しと作成を行なう（Ｓ７７）。文字コンテンツとしては、天気詳細情報Ｃ４やブログＣ５等がある。また、その日に書いた日記があれば、それを表示してもよく、また該当日のニュースがあれば、それを読出・作成しても良い。
【００６１】
文字コンテンツの作成が終わると、次に、これらの再生コンテンツの中に、音声コンテンツが有るか否かの判定を行なう（Ｓ７８）。判定の結果、音声コンテンツがない場合には、元のフローに戻るが、一方、音声コンテンツがある場合には、音声コンテンツの再生を行ない（Ｓ７９）、元のフローに戻る。
【００６２】
従来のような、画像だけの再生では、単調なスライドショーになってしまい、また、単に音楽をミックスしても、楽しみが倍加するほどではない。本実施形態のように、画像撮影時に記録した音声や、そのときの天気、あるいはブログやニュースを同時に再生させることによって、当時の雰囲気を簡単に再現でき、単に画像を鑑賞するのに比べて、その思い出に浸ることができる。ネットワーク時代に相応しい新しい再生装置や再生方法を実現することができる。
【００６３】
このように本実施形態に係わる再生装置においては、日時情報を有するコンテンツを、その日時情報に応じて順次再生するための時間を管理する時間管理部１２ｂと、この時間管理部１２ｂで特定される時間に対応する日時情報を有するコンテンツを、複数のカテゴリのコンテンツの中から検索するコンテンツ検索部１２ｃと、検索されたカテゴリの異なる複数のコンテンツを記憶する記憶部１５と、時間管理部１２ｂで管理される一定範囲の時間を所定の長さで示す時間情報、及びこの時間情報の範囲に属するコンテンツの存在を示すよう時間情報の対応位置に配置されるコンテンツ情報を含む時間画像を作成する時間画像作成部１７ａと、時間画像を再生するとともに、記憶されたカテゴリの異なるコンテンツを、時間管理部１２ｂで管理される時間をベースとしてそのコンテンツの日時情報に応じたタイミングで再生するよう管理する再生管理部１２ａを有している。このため、画像、テキスト、音声、音楽といったような異なるカテゴリのコンテンツを利用できるという効果を奏する。
【００６４】
また、本実施形態においては、時間管理部１２ｂで管理される時間（表示時刻）をベースとして、コンテンツの日時情報とリンクさせて表示するので、思い出を回想したり、また紹介するのに大変便利である。
【００６５】
さらに、本実施形態においては、コンテンツを検索するにあたって、再生装置を外部データベース３１に接続し、この外部データベース３１からコンテンツを取得するようにしたので、コンテンツを豊富にすることができる。このコンテンツの取得にあたって、作成日時情報等も取得し、この作成日時情報に基づいて、他のコンテンツと共に再生するようにしているので、一元的管理することができる。
【００６６】
さらに、本実施形態においては、背景画像作成部１７ｂを備え、時間画像やコンテンツ画像のみならず背景画像を表示するようにしているので楽しむことができる。特に、背景画像（背景音楽）を時間管理部１２ｂで管理する時間（表示時刻）に合わせて、変化させることにより、再生が単調にならず、より楽しむことができる。また、背景画像として、地図画像、天気画像、ニュース画像等を表示することにより、思い出の回想やイベントの紹介にあたって、便利である。また、図３等の実施形態では、天気画像（Ｂ３）を常時表示する例を示したが、天気画像ではなく、ユーザーの好みによってスポーツ情報、株価情報であってもよい。外部データベース３１に対するＵＲＬ情報の変更で対応可能である。
【００６７】
なお、上記実施形態において、ＣＰＵ１１の処理に関しては、一部または全てをハードウエアで構成してもよい。逆に画像作成部のハードウエアをソフトウエアで構成してもよい。具体的な構成は設計事項である。プログラムを格納する記録媒体としては、本実施形態としてはフラッシュメモリを用いていたが、これに限らず、例えば、ＣＤ−ＲＯＭ、ＤＶＤ等の光学記録媒体、ＭＤ等の磁気記録媒体、テープ媒体、ＩＣカード等の半導体メモリでも勿論構わない。
【００６８】
また、本実施形態においては、時間の表示にあたって、サークル表示としたが、これに限らず、直線、曲線等でも良く、日時の推移を表現できる形式であればよい。また、背景画像や背景音楽は、表示時刻に応じて変化させていたが、固定のままで変化しなくても良い。さらに、再生コンテンツが限定されるが、インターネット等によって外部のデータベースに接続されていなくてもよい。
【００６９】
本発明の実施形態の説明にあたっては、パーソナルコンピュータに適用した例を挙げたが、これに限らず、例えば、インターネットに接続可能なテレビでも良い。いずれにしても、マルチコンテンツを記憶し、再生可能な機器であれば本発明を適用できる。
【００７０】
また、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００７１】
【図１】本発明を適用した一実施形態に係わる再生装置の構成を示すブロック図である。
【図２】本発明の一実施形態に係わる再生装置で用いられる時計画像を示す図である。
【図３】本発明の一実施形態に係わる再生装置の表示画面におけるマルチコンテンツの表示を示す図であり、再生スタート時の画面である。
【図４】本発明の一実施形態に係わる再生装置の表示画面におけるマルチコンテンツの表示を示す図であり、４月８日６時の画面である。
【図５】本発明の一実施形態に係わる再生装置の表示画面におけるマルチコンテンツの表示を示す図であり、４月８日１２時の画面である。
【図６】本発明の一実施形態に係わる再生装置の表示画面におけるマルチコンテンツの表示を示す図であり、４月８日１８時の画面である。
【図７】本発明の一実施形態に係わる再生装置の表示画面におけるマルチコンテンツの表示を示す図であり、４月８日２３時の画面である。
【図８】本発明の一実施形態に係わる再生装置の表示画面における時計盤を示す図である。
【図９】本発明の一実施形態に係わる再生装置の表示画面におけるマルチコンテンツの表示の変形例を示す図である。
【図１０】本発明の一実施形態に係わる再生装置の表示画面におけるマルチコンテンツの表示にあたって、背景画像やコンテンツの再生状態を示す図である。
【図１１】本発明の一実施形態に係わる再生装置のメインフローを示すフローチャートである。
【図１２】本発明の一実施形態に係わる再生装置のコンテンツ再生準備のサブルーチンを示すフローチャートである。
【図１３】本発明の一実施形態に係わる再生装置のコンテンツ再生実行のサブルーチンを示すフローチャートである。
【図１４】本発明の一実施形態に係わる再生装置の背景情報作成のサブルーチンを示すフローチャートである。
【図１５】本発明の一実施形態に係わる再生装置の時間画像作成のサブルーチンを示すフローチャートである。
【図１６】本発明の一実施形態に係わる再生装置のコンテンツ作成のサブルーチンを示すフローチャートである。
【符号の説明】
【００７２】
１０・・・パーソナルコンピュータ、１１・・・ＣＰＵ、１２ａ・・・再生管理部、１２ｂ・・・時間管理部、１２ｃ・・・コンテンツ検索部、１３・・・ＲＯＭ、１４・・・操作部、１５・・・記憶部、１６・・・ＲＡＭ、１７・・・画像作成部、１７ａ・・・時間画像作成部、１７ｂ・・・背景画像作成部、１７ｃ・・・コンテンツ画像作成部、１８・・・表示部、１８ａ・・・表示画面、１９・・・音声制御部、２０・・・スピーカ部、２１・・・通信部、３０・・・インターネット、３１・・・外部データベース、５１・・・年表示、５２・・・月表示、５３・・・日表示、Ｂ１・・・地図画像、Ｂ２・・・背景画像、Ｂ３・・・天気画像、Ｂ５・・・音楽、Ｂ５ａ・・・アルバムタイトル、Ｂ５ｂ・・・歌詞、Ｂ５ｃ・・・ジャケット画像、Ｃ１・・・静止画、Ｃ２・・・動画、Ｃ３・・・ウエブ、Ｃ４・・・音声、Ｃ５・・・ブログ情報、Ｃ６・・・静止画、Ｃ７・・・静止画、ＳＣ１・・・静止画、ＳＣ２・・・動画、ＳＣ３・・・ウエブ、ＳＣ４・・・音声、ＳＣ５・・・ウエブ、ＳＣ６・・・静止画、ＳＣ７・・・静止画、Ｔ・・・時計画像、ＴＹ・・・年サークル、ＴＭ・・・月サークル、ＴＤ・・・日サークル、ＴＴ・・・時間サークル、ＴＣ・・・カーソル、ＴＡ・・・短針、ＴＢ・・・長針、ＴＸ・・・時計盤
【図１】
2009015958.tif 000003
【図２】
2009015958.tif 000004
【図３】
2009015958.tif 000005
【図４】
2009015958.tif 000006
【図５】
2009015958.tif 000007
【図６】
2009015958.tif 000008
【図７】
2009015958.tif 000009
【図８】
2009015958.tif 000010
【図９】
2009015958.tif 000011
【図１０】
2009015958.tif 000012
【図１１】
2009015958.tif 000013
【図１２】
2009015958.tif 000014
【図１３】
2009015958.tif 000015
【図１４】
2009015958.tif 000016
【図１５】
2009015958.tif 000017
【図１６】
2009015958.tif 000018